(57)【要約】【課題】バイパスプラグの着脱作業時等に、作業者の手指が充電部に接触したり、リード線装着孔に水滴や塵埃が浸入したりすることを回避可能にする。【解決手段】器体Ｐの外に露出する引込線取り付け部２７と、２つのバイパスプラグ着脱端子２２、２３に対しこれらを電気接続するように装着されるバイパスプラグ２１と、遠隔操作型給電停止／停止解除装置４４の２つのリード線４５、４６の先端を挿入状態で接続するためのリード線装着孔１７、１８とを被うように、前記器体Ｐに絶縁カバー３０を着脱可能に装着する。【選択図】図１
0003122033.tif 000002
【実用新案登録請求の範囲】
【請求項１】
電力量計と負荷側引込線との間に接続される２つのバイパスプラグ着脱端子と、負荷側の前記バイパスプラグ着脱端子に電気接続され、かつ前記負荷側引込線を取り付ける引込線取り付け部とを器体に備え、負荷側への電力供給を、前記バイパスプラグ着脱端子のそれぞれの側に着脱可能に電気接続される遠隔操作型給電停止／停止解除装置を介して行えるようにする無停電端子であって、前記器体の外に露出する前記引込線取り付け部と、前記２つのバイパスプラグ着脱端子に対しこれらを電気接続するように装着されるバイパスプラグと、遠隔操作型給電停止／停止解除装置の２つのリード線端をそれぞれ装着するためのリード線装着孔とを被うように、前記器体に絶縁カバーが着脱可能に装着されてなることを特徴とする無停電端子。
【請求項２】
前記絶縁カバーが、器体の上部を被う天板部と、この天板部に連続して対向する前板部および後板部と、これらの前板部および後板部の下端に互いに対向する方向に折曲形成されて、前記器体の底部に係止可能な係止片とを有することを特徴とする請求項１に記載の無停電端子。
【請求項３】
前記絶縁カバーが、透明の材料から作られていることを特徴とする請求項１に記載の無停電端子。
【請求項４】
前記絶縁カバーが、前記バイパスプラグ着脱端子に装着された前記バイパスプラグの形態に倣った突出部を持つことを特徴とする請求項１に記載の無停電端子。
【考案の詳細な説明】
【技術分野】
【０００１】
本考案は、需要家側に設置された電力量計に接続され、遠隔操作によって給電停止／停止解除を行う遠隔操作型給電停止／停止解除装置の取り外しを、無停電で行うのに用いる無停電端子に関する。
【背景技術】
【０００２】
電力会社等から需要者（家庭等）に対して電力を供給する場合において、需要者から電力の使用料金を徴収するために、各需要者に対して電力量計を設置している。電力量計には、電力会社側の給電線に繋がる負荷側引込線が接続されるとともに、需要者側の屋内配線にも接続され、需要者が消費する電力を計測する。
【０００３】
ところで、電力会社は、電力量計で計測した消費電力に基づいて、需要者に対して使用料金を請求し、需要者から使用料金を徴収する。その際、需要者の経済的な事情等により、使用料金を徴収できない場合がある。この場合、電力会社は、需要者に対する電力の供給を停止する場合がある。
【０００４】
電力の供給停止や停止解除を行う場合、電力会社の作業員が、需要者の電力量計の設置現場へ出向き、宅内給電の停止作業あるいは復旧作業を行っている。この際、作業員は、電力量計の引込み線や電柱上の引込線を切り離したり、あるいは、接続を行っている。
【０００５】
一方、このような給電の停止作業や復旧作業の煩わしさを回避するために、無停電端子と遠隔操作型給電停止／停止解除装置を用いた遠隔給電制御システムが提供されている（例えば、特許文献１参照）。
【０００６】
この遠隔給電制御システムでは、電力供給側の給電線に電力量計が接続され、この電力量計と負荷側（需要家側）とを結ぶ負荷側引込線の途中に、無停電端子が接続され、この無停電端子に対し遠隔操作型給電停止／停止解除装置が並列接続されている。
【０００７】
この構成によれば、電気料金の不払い需要家については、負荷側引込線の１本を電力量計から取外して給電を停止し、その電力量計と取外した負荷側引込線との間に無停電端子を取り付け、この無停電端子が持つ２つの接続端子に遠隔操作型給電停止／停止解除装置の２つの端子を接続する。
【０００８】
一方、電気料金の払い込みがあったときは、遠隔操作型給電停止／停止解除装置のリレースイッチを遠隔操作によりオンにして給電を再開する。また、無停電端子のバイパスプラグ着脱端子にバイパス用プラグを挿し込むことで、遠隔操作型給電停止／停止解除装置を無停電状態にて取外すことができる。
【特許文献１】特開２００４‐２２９４００号公報
【考案の開示】
【考案が解決しようとする課題】
【０００９】
しかしながら、このような従来の遠隔給電制御システムにおいては、無停電端子に対する遠隔操作型給電停止／停止解除装置の取り付け時および取外時に、前記負荷側引込線を無停電端子に接続するための、引込線取り付け部としての止めネジの頭（充電部）が器体の外に露出しているため、無停電端子に対する前記バイパスプラグの着脱作業時等に、作業者の手指がこの充電部に接触し、感電する惧がある。
【００１０】
また、遠隔操作型給電停止／停止解除装置側の２つのリード線を挿入して接続するためのリード線装着孔が、器体の外側に露出しているために、水滴や塵埃等の侵入や付着によって漏電事故を惹き起こしたり、遠隔操作型給電停止／停止解除装置による正常な宮殿の停止および停止解除を行えなくなったりするという不都合があった。
【００１１】
本考案は、このような従来の問題を解決するものであり、バイパスプラグの着脱作業時等に、作業者の手指が充電部に接触するのを確実に回避できるとともに、リード線装着孔内への水滴や塵埃等の侵入を防止でき、さらに負荷側引込線端の引込線取り付け部に対する接続状態を、容易に目視観察することができるようにする無停電端子を提供することを目的とする。
【課題を解決するための手段】
【００１２】
前記目的達成のために、本考案にかかる無停電端子は、電力量計と負荷側引込線との間に接続される２つのバイパスプラグ着脱端子と、負荷側の前記バイパスプラグ着脱端子に電気接続され、かつ前記負荷側引込線を取り付ける引込線取り付け部とを器体に備え、負荷側への電力供給を、前記バイパスプラグ着脱端子のそれぞれの側に着脱可能に電気接続される遠隔操作型給電停止／停止解除装置を介して行えるようにする無停電端子であって、前記器体の外に露出する前記引込線取り付け部と、前記２つのバイパスプラグ着脱端子に対しこれらを電気接続するように装着されるバイパスプラグと、遠隔操作型給電停止／停止解除装置の２つのリード線端をそれぞれ装着するためのリード線装着孔とを被うように、前記器体に絶縁カバーが着脱可能に装着されてなることを特徴とする（請求項１）。
【００１３】
この構成により、絶縁カバーは、作業者の手指が前記引込線取り付け部に直接接触するのを防止し、感電事故の発生を未然に回避するとともに、遠隔操作型給電停止／停止解除装置の２つのリード線端を装着することによって電気接続するためのリード線装着孔内に、不用意に水滴や塵埃などが浸入または付着しないようにして、漏電事故が発生するのを未然に回避することができる。
【００１４】
また、本考案にかかる無停電端子は、前記絶縁カバーが、器体の上部を被う天板部と、この天板部に連続して対向する前板部および後板部と、これらの前板部および後板部の下端に互いに対向する方向に折曲形成されて、前記器体の底部に係止可能な係止片とを有することを特徴とする請求項１に記載の無停電端子である（請求項２）。
【００１５】
この構成により、前記絶縁カバーが、自身の弾性により器体の上部および前後板部に保持されるとともに、前記係止片が器体の底部に係止されることによって、絶縁カバーが器体から不用意に外れることはない。このため、バイパスプラグのバイパスプラグ着脱端子からの抜け止めも同時になされる。
【００１６】
また、本考案にかかる無停電端子は、前記絶縁カバーが、透明の材料から作られていることを特徴とする（請求項３）。
【００１７】
この構成により、作業者は、絶縁カバーを通して、この絶縁カバーによって被われた、負荷側引込線の引込線取り付け部による取り付け状況、例えば負荷側引込線に対する閉め忘れや締付け不十分などを、外から目視で簡単に監視することができる。また、バイパスプラグの装着の有無および装着状態を確認することができる。
【００１８】
また、本発明のかかる無停電端子は、前記絶縁カバーが、前記バイパスプラグ着脱端子に装着された前記バイパスプラグの形態に倣った突出部を持つことを特徴とする（請求項４）。
【００１９】
この構成により、器体に対する前記突出部の相対位置から前記バイパスプラグ着脱端子に対するバイパスプラグの着脱位置を確認できるほか、前記係止部の器体の底部に対する係止と相俟ってバイパスプラグのバイパスプラグ着脱端子からの抜け止めを確実にすることができる。
【考案の効果】
【００２０】
本考案の無停電端子によれば、器体の外に露出する引込線取り付け部と、２つのバイパスプラグ着脱端子に対しこれらを電気接続するように装着されるバイパスプラグと、遠隔操作型給電停止／停止解除装置の２つのリード線端をそれぞれ装着するためのリード線装着孔とを被うように、前記器体に絶縁カバーを着脱可能に装着したことにより、この絶縁カバーが、作業者の手指が前記引込線取り付け部に直接接触するのを防止し、感電事故の発生を未然に回避するとともに、前記リード線装着孔内に、不用意に水滴や塵埃などが浸入または付着しないようにして、漏電事故の発生を未然に回避することができる。
【考案を実施するための最良の形態】
【００２１】
以下に、本考案の無停電端子の実施形態を、図１、図２および図３を参照して説明する。図１は、本実施の形態による無停電端子１０を示す斜視図、図２は同じく無停電端子の縦断面図、図３は、同じく無停電端子の平面図である。
【００２２】
図１〜図３において、無停電端子１０は合成樹脂製のケース１１と、該ケース１１の開口部を塞ぐ合成樹脂製のカバー１２と、前記ケース１１内に絶縁的に分離配置された２つの導電ブロック１３、１４と、一方の導電ブロック１３にネジ１５によりネジ止めされたリード線１６とを備えている。前記ケース１１とカバー１２とは、本考案の器体Ｐを構成している。
【００２３】
前記導電ブロック１３、１４は黄銅製で、直方形状をなす。該導電ブロック１３、１４のそれぞれには、後述の遠隔操作型給電停止／停止解除装置の２つのリード線端を着脱可能に挿入し得るリード線装着孔１７、１８が垂直方向に設けられている。該各リード線装着孔１７、１８に対応する部位の前記ケース１１には、前記リード線装着孔１７,１８に連通するとともに、前記リード線端を挿入可能にする挿入孔１９、２０が形成されている。
【００２４】
また、前記導電ブロック１３、１４には、後述のバイパスプラグ２１の各一端を挿入しうるバイパスプラグ着脱端子となるプラグ端子挿入孔２２、２３が垂直方向に設けられている。該各プラグ挿入孔２２、２３に対応する部位の前記ケース１１の突出部１１ａに、前記プラグ端子挿入孔２２、２３に連通するとともに、前記バイパスプラグ２１が挿入可能なプラグ嵌合孔２４、２５が設けられている。
【００２５】
なお、前記バイパスプラグ２１は、略コ字上に折曲された導電線の脚部２１ａ、２１ｂを除く部分を、合成樹脂によりモールドしたものからなり、該脚部２１ａ、２１ｂが前記プラグ端子挿入孔２２、２３に挿入され、前記各導電ブロック１３、１４を互いに電気的に接続するように機能する。
【００２６】
また、一方の前記導電ブロック１４には、負荷側引込線（図示しない）の端部を挿入しうる引込線挿入孔２６が水平方向に設けられている。該引込線挿入孔２６内に先端が挿入された負荷側引込線を、前記導電ブロック１４にネジ込まれた引込み線取り付け部としての２個の止めネジ２７により保持可能にしている。
【００２７】
前記止めネジ２７の頭は、前記ケース１１の前記突出部１１ｂに形成された、上下方向に貫通する工具挿入用の操作孔２８内に露出している。さらに、前記ケース１１側面の前記引込線挿入孔２６に対応する部位に、同じく負荷側引込線の挿入が可能な挿入孔２９が形成されている。
【００２８】
本実施の形態においては、前記ケース１１の前記各挿入孔１９、２０、前記バイパスプラグ２１および前記ケース１１の前記操作孔２８を被うように絶縁カバー３０が着脱可能に装着されている。該絶縁カバー３０は、例えば無色透明または有色透明で、弾性がある合成樹脂、例えばポリプロピレン等のフィルム材やシート材から構成されている。
【００２９】
図１および図４に、前記絶縁カバー３０の斜視図および底面図を示す。この絶縁カバー３０は、天板部３１と、該天板部３１の前後に連接された前板部３２および後板部３３とからなる。
【００３０】
前記天板部３１は、前記バイパスプラグ２１を被う高天板部３１ａと、前記挿入孔１９付近の前記ケース１１上面を被う低天板部３１ｂと、前記ケース１１の突出部１１ｂを被う中天板部３１ｃとからなる。なお、前記高天板部３１ａは、前記バイパスプラグ着脱端子に装着された前記バイパスプラグ２１の形態に倣った突出部Ｔの一部をなす。
【００３１】
また、前記天板部３１は全体として、平面視で長方形をなし、前記前板部３２および前記後板部３３は、前記リード線装着孔１８および前記止めネジ２７の対応部分で、図４に示すように、下方に延びる突出部３２ａ、３３ａとなっている。
【００３２】
さらに、前記突出部３２ａ、３３ａの下端には、前記ケース１１への装着時に前記カバー１２の底面に係合する係止片３２ｂ、３３ｂが連接されている。これらの係止片３２ｂ、３３ｂは、前板部３２および後板部３３に対して、互いに対向する方向に直角に延びている。
【００３３】
なお、前記絶縁カバー３０は、前述のようにポリプロピレン等の合成樹脂によって成形されているため、前記各前板部３２、前記後板部３３、前記突出部３２ａ、３３ａおよび前記係止片３２ｂ、３３ｂに弾性が付与され、前記ケース１１に装着すると、該ケース１１を前後方向から挟み込むように機能する。このため、前記前板部３２および前記後板部３３を指で相互に拡開操作することで、前記保持カバー３０を前記ケース１１から容易に取外すことができる。
【００３４】
前記のように、前記ケース１１に装着された前記絶縁カバー３０は、前記負荷側引込線を前記無停電端子１０に接続するための、引込線取り付け部としての前記止めネジ２７の頭（充電部）と、および遠隔操作型給電停止／停止解除装置４４側の２つのリード線４５、４６を挿入して接続するための前記リード線装着孔１７、１８をともに被う。
【００３５】
このため、前記止めネジ２７に指が触れて感電事故を招いたり、前記リード線装着孔１７、１８などに水滴や塵埃が侵入または付着することによる漏電事故を招いたりすることを未然に回避することができる。
【００３６】
また、前記絶縁カバー３０に設けられた突出部Ｔ、前記高天板部３１ａおよび前記中天板部３１ｃの形態から、前記バイパスプラグ２１の正しい挿入位置を確認することができるとともに、前記絶縁カバー３０装着中における前記バイパスプラグ２１の不用意な脱落を防止することができる。
【００３７】
さらに、前記絶縁カバー３０は透明の合成樹脂等から構成されている。このため、前記止めネジ２７による負荷側引込線の接続状況、具体的には２本の前記止めネジ２７の頭の高さが異なる場合（前記止めネジ２７の一方が締め込み不十分な状態など）、通常より高すぎる場合（前記止めネジ２７が緩んでいる状態など）、通常より低すぎる場合（負荷側引込線が接続されていない状態など）などの締め付け状態を、作業員は上方から容易に目視で確認することができる。
【００３８】
これにより、前記止めネジ２７による負荷側引込線の接続の不具合による過熱事故等を未然に防止することができるほか、例えばバイパスプラグの着脱作業時に、作業員が充電部である前記止めネジ２７に手指が触れる事による感電事故の発生を未然に回避することができる。
【００３９】
このような構成となる前記無停電端子１０は、図５に示すように、電力量計４１に接続されて用いられる。まず、前記無停電端子１０が接続される前の状態において、前記電力量計４１の１つの負荷側端子４２に接続されている負荷側引込線４３のいずれか１本を引き抜く。このとき、負荷側は停電となる。
【００４０】
次に、この負荷側端子４２と前記無停電端子１０内の前記導電ブロック１３にネジ止めされている前記リード線１６端を接続する。また、前記導電ブロック１４の前記引込線挿入孔２６内に、前記のようにして引き抜いた前記負荷側引込線４３の端部を挿入して、前記２本の止めネジ２７により挟圧、固定する。
【００４１】
続いて、前記ケース１１に設けられた前記挿入孔１９、２０のそれぞれを介して、前記遠隔操作型給電停止／停止解除装置４４の前記リード線４５、４６端を前記無停電端子１０の前記リード線装着孔１７、１８にそれぞれプラグイン接続する。このとき、前記遠隔操作型給電停止／停止解除装置４４のリレースイッチ４４ａはオフに保持しておく。このようにして、負荷側引込線４３への給電を停止する。
【００４２】
一方、この給電停止を解除する場合には、前記遠隔操作型給電停止／停止解除装置４４を遠隔制御により作動させ、前記リレースイッチ４４ａをオンにする。これにより、該リレースイッチ４４ａを介して、前記電力量計４１を介して前記負荷側引込線４３に給電が再開される。
【００４３】
また、前記遠隔操作型給電停止／停止解除装置４４を前記負荷側引込線４３への給電を続けたまま取外す場合には、前記ケース１１に設けられた前記プラグ嵌合孔２４、２５を介して、前記導電ブロック１３、１４の前記プラグ端子挿入孔２２、２３に前記バイパスプラグ２１の前記両脚部２１ａ、２１ｂを挿入する。
【００４４】
そこで、前記遠隔操作型給電停止／停止解除装置４４の前記リード線４５、４６端を前記リード線装着孔１７、１８から引き抜く。これにより、前記遠隔操作型給電停止／停止解除装置４４を介しての給電を停止しても、前記バイパスプラグ２１を通じての給電が継続されることとなる。
【００４５】
前記のような無停電端子１０の前記負荷側引込線４３への接続作業や前記遠隔操作型給電停止／停止解除装置４４の取り付け作業等において、作業者の手指が、外部に露出している前記止めネジ２７付近に近接することがある。
【００４６】
しかし、前記止めネジ２７が絶縁カバー３０によって被われているため、前記止めネジ２７への手指の接触は確実に断たれ、従って、前記の様な感電事故の発生は発生しない。このため、作業者は安心して、前記の取り付けや取り外しの各作業を実施することができる。また、前記リード線装着孔１７、１８内には水滴や塵埃が浸入しないため、漏電事故の発生を未然に回避することができる。
【００４７】
また、前記のように、前記絶縁カバー３０が透明である場合には、前記止めネジ２７による前記負荷側引込線４３の接続状態を外部から容易に観察することができる。従って、前記負荷側引込線４３の接続ミスの発生を未然に回避することができる。
【００４８】
前記絶縁カバー３０は、ポリプロピレンなどの合成樹脂からなる厚目のシートやフィルムによって構成することができるため、常時は、前記絶縁カバー３０は、前記突出部３２ａ、３３ａが前記カバー１２の下面に係止して容易に脱落することはないが、その弾性により前記無停電端子１０への着脱が人の指先操作のみで簡単、迅速に行うことができるとともに、極めて安価に得られるという利点がある。
【００４９】
なお、前記実施形態では、前記電力量計４１の前記負荷側端子４２に前記リード線１６を介して１つの前記無停電端子１０を接続した場合について述べたが、必要に応じ前記電力量計４１のもう１つの負荷側端子４７にも、同様にリード線を介して別に用意した前記無停電端子１０を接続してもよい。また、これらの無停電端子１０は別々に用意するほか、予め一体化された２極用（２回路用）の無停電端子として作成し、使用することもできる。
【００５０】
以上のように、本実施形態によれば、器体Ｐの外に露出する引き込み線取り付け部１７と、前記２つのバイパスプラグ着脱端子２２、２３に対しこれらを電気接続するように装着される前記バイパスプラグ２１と、前記遠隔操作型給電停止／停止解除装置４４の２つのリード先端を挿入状態で接続するための前記リード線装着孔１７、１８とを被うように、前記器体Ｐに前記絶縁カバー３０を着脱可能に装着した構成としたことにより、作業者の手指が充電部に直接接触することによる感電事故の発生を未然に回避することができる。また、前記リード線装着孔１７、１８内への水滴や塵埃等の侵入を防止できるほか、前記負荷側引込線４３端の前記止めネジ２７に対する接続状態を、容易に目視観察することができる。
【産業上の利用可能性】
【００５１】
本考案の無停電端子は、絶縁カバーが、作業者の手指が前記引き込み線取り付け部に直接接触しないようにして、感電事故の発生を未然に回避することができるとともに、遠隔操作型給電停止／停止解除装置の２つのリード線のリード線装着孔内に、不用意に水滴や塵埃などが浸入または付着しないようにして、漏電事故が発生するのを未然に回避できるという効果を有し、遠隔操作によって給電停止／停止解除を行う遠隔操作型給電停止／停止解除装置の取り外しを、無停電で行うのに用いる無停電端子等に有用である。
【図面の簡単な説明】
【００５２】
【図１】本考案の実施形態による無停電端子の全体を示す斜視図である。
【図２】図１に示す無停電端子の縦断正面図である。
【図３】図１に示す無停電端子の平面図である。
【図４】本考案における絶縁カバーを示す底面図である。
【図５】本考案の無停電端子を含む遠隔給電制御システムを示す概略の結線図である。
【符号の説明】
【００５３】
１０  無停電端子
１１  ケース
１２  カバー
１７、１８  リード線装着孔
２２  プラグ端子挿入孔（バイパスプラグ着脱端子）
２３  プラグ端子挿入孔（バイパスプラグ着脱端子）
２７  止めネジ（引き込み線取り付け部）
３０  絶縁カバー
４１  電力量計
４３  負荷側引込線
４４  遠隔操作型給電停止／停止解除装置
Ｐ  器体
【図１】
0003122033.tif 000003
【図２】
0003122033.tif 000004
【図３】
0003122033.tif 000005
【図４】
0003122033.tif 000006
【図５】
0003122033.tif 000007